(57)【要約】【課題】テーブルの天板の裏面に設けられるフレームを目立たなくしてテーブルの美観を向上させるとともに、フレームがテーブル使用者の邪魔にならないようにする。【解決手段】テーブル１は、天板１０と、天板１０を支持する脚部２０と、天板１０と脚部２０との接続部分の外側に設けられて接続部分を側面視で隠すための枠部３０と、を備え、枠部３０は、天板１０側から脚部２０側になるに従って天板１０の外縁側から中央部側へと傾斜する傾斜面３１ｈを有する。【選択図】図４
2018134198.tif 000002
【特許請求の範囲】
【請求項１】
天板と、
前記天板を支持する脚部と、
前記天板と前記脚部との接続部分の外側に設けられて前記接続部分を側面視で隠すための枠部と、を備え、
前記枠部は、前記天板側から前記脚部側になるに従って前記天板の外縁側から中央部側へと傾斜する傾斜面を有する、
テーブル。
【請求項２】
前記枠部は、前記傾斜面を含む枠部材と、前記天板の裏面から突出するように設けられて前記枠部材の位置決めを行うための位置決め部材と、を有する、請求項１に記載のテーブル。
【請求項３】
前記天板は、平面視で略多角形状を呈し、
前記枠部材は、前記天板の各辺に対応するように複数設けられており、
前記位置決め部材は、前記各枠部材が前記天板の前記各辺に対して略平行になるように前記各枠部材を位置決めする、請求項２に記載のテーブル。
【請求項４】
前記天板は、平面視で略矩形状を呈し、
前記枠部材は、平面視で、長辺と、短辺と、前記長辺と前記短辺とを繋ぐ側辺と、を有する略台形状を呈し、前記長辺と前記側辺とのなす角度は平面視で略４５°であり、
前記位置決め部材は、前記各枠部材の前記長辺及び前記短辺が前記天板の対応する辺に対して略平行になるように、かつ、隣接する二つの前記枠部材の前記側辺同士を接触させるように、前記各枠部材を位置決めする、請求項３に記載のテーブル。
【請求項５】
前記位置決め部材は、前記枠部材を前記天板の外縁側から中央部側へとスライドさせたときに前記枠部材の少なくとも一部に当接して所定の位置で前記枠部材のスライドを止めるように構成されている、請求項２から４の何れか一項に記載のテーブル。
【請求項６】
前記枠部材は、前記長辺及び前記側辺を有する平面視略台形状の第一板部と、前記第一板部に対して鋭角をなすように前記第一板部の前記長辺に連接された第二板部と、前記第二板部と略同一平面上に配置されるように前記第一板部の前記長辺に対向する辺に連結された第三板部と、を有し、
前記第二板部の前記第一板部側と反対側の端部は、前記位置決め部材に当接する部分とされ、
前記第三板部には、締結用のネジ又はボルトを挿通させるための挿通孔が設けられている、請求項５に記載のテーブル。
【請求項７】
前記枠部材は、前記第三板部を前記第一板部の前記長辺に対向する辺に連結させる連結部を有し、
前記連結部は、前記第二板部と前記第三板部とを前記天板の裏面に接触させた状態で前記枠部材を前記天板に取り付けたときに、所定の対象物を上方から引っ掛けて吊るすための掛止部を有する、請求項６に記載のテーブル。
【請求項８】
前記位置決め部材は、前記天板の裏面に固定される平面視円形状の略円板状乃至略円筒状の部材である、請求項２から７の何れか一項に記載のテーブル。
【発明の詳細な説明】
【技術分野】
【０００１】
本発明は、テーブルに関する。
【背景技術】
【０００２】
従来より、比較的広い天板と、この天板を支持する脚部と、を備えるテーブルがオフィスの会議室等で使用されている（例えば、特許文献１参照）。このような構造を有するテーブルにおいては、比較的広い天板を補強する部材として機能するフレーム（枠部材）を天板の裏面に取り付けるのが一般的である。このようなフレームは、天板の各辺に沿うように設けられており、天板と脚部との接続部分を隠すための遮蔽部材としても機能する。
【先行技術文献】
【特許文献】
【０００３】
【特許文献１】特開２０１４−２３０７１８号公報
【発明の概要】
【発明が解決しようとする課題】
【０００４】
ところで、上記のような構成を有する従来のテーブルにおいては、フレームが天板の裏面から下方に突出するように取り付けられているため、テーブルを側面からみたときにフレームが目立ち、テーブルの美観が損ねられることがあるとともに、下方に突出したフレームがテーブル使用者の邪魔になることがあった。
【０００５】
本発明は、かかる事情に鑑みてなされたものであり、テーブルの天板の裏面に設けられるフレームを目立たなくしてテーブルの美観を向上させるとともに、フレームがテーブル使用者の邪魔にならないようにすることを目的とする。
【課題を解決するための手段】
【０００６】
前記目的を達成するため、本発明に係るテーブルは、天板と、天板を支持する脚部と、天板と脚部との接続部分の外側に設けられて接続部分を側面視で隠すための枠部と、を備え、枠部は、天板側から脚部側になるに従って天板の外縁側から中央部側へと傾斜する傾斜面を有するものである。
【０００７】
かかる構成を採用すると、天板と脚部との接続部分の外側に設けられた枠部が、天板側（上方）から脚部側（下方）になるに従って天板の外縁側（外側）から中央部側（内側）へと傾斜する傾斜面を有しているため、枠部の傾斜面が脚部側（下方）になるほど天板の中央部側（内側）の奥まった位置にあり、枠部が目立たなくなる。また、枠部の脚部側（下方）の部分が天板の中央部側（内側）の奥まった位置にあるため、枠部がテーブル使用者の邪魔になることがない。さらに、枠部によって、天板と脚部との接続部分（例えば溶接した箇所やボルトで締結した箇所）を側面視で隠すことができる。この結果、あたかも天板に脚部が直接的に接続されているかのような視覚的効果を得ることができるとともに、天板と脚部との接続部分を側面視で隠すことができ、全体としてテーブルの意匠性を向上させることができる。
【０００８】
本発明に係るテーブルにおいて、傾斜面を含む枠部材と、天板の裏面から突出するように設けられて枠部材の位置決めを行うための位置決め部材と、を有する枠部を採用することができる。
【０００９】
かかる構成を採用すると、天板の裏面から突出するように設けられた位置決め部材により枠部材を位置決めすることができるので、作業性を向上させることができる。位置決め部材としては、天板の裏面に固定される平面視円形状の略円板状乃至略円筒状の部材を採用することができる。なお、各枠部材の側辺が傾斜している場合には、位置決め部材を採用しないと二つの枠部材を隣接させた際の側辺同士の正確な位置決めが困難であるが、位置決め部材を採用することにより隣接する側辺同士を容易にかつ正確に位置決めすることができる。
【００１０】
本発明に係るテーブルにおいて、平面視で略多角形状を呈する天板を採用するとともに、天板の各辺に対応するように枠部材を複数設けることができる。かかる場合において、各枠部材が天板の各辺に対して略平行になるように各枠部材を位置決めする位置決め部材を採用することができる。
【００１１】
かかる構成を採用すると、各枠部材が天板の各辺に対して略平行になるように、位置決め部材で各枠部材を位置決めすることができる。
【００１２】
本発明に係るテーブルにおいて、平面視で略矩形状を呈する天板を採用することができる。かかる場合において、平面視で、長辺と、短辺と、長辺と短辺とを繋ぐ側辺と、を有する略台形状を呈する枠部材を採用し、長辺と側辺とのなす角度を平面視で略４５°に設定することができる。また、かかる場合において、各枠部材の長辺及び短辺が天板の対応する辺に対して略平行になるように、かつ、隣接する二つの枠部材の側辺同士を接触させるように、各枠部材を位置決めする位置決め部材を採用することができる。
【００１３】
かかる構成を採用すると、各枠部材の長辺及び短辺が天板の対応する辺に対して略平行になるように、かつ、隣接する二つの枠部材の側辺同士を接触させるように、各枠部材を位置決めすることができる。このようにすることにより、隣接する二つの枠部材が平面視で略直角をなすように配置されることとなり、平面視でロ字状の枠部が形成されることとなる。なお、仮に、隣接する二つの枠部材の側辺同士を接触させることなく単に位置決め部材で位置決めするだけでは、二つの側辺の間に形成される間隙から奥側の構成が見えてしまうこととなるが、各枠部材の長辺と側辺とのなす角度を略４５°に設定し、隣接する二つの枠部材の側辺同士を接触させるように各枠部材を位置決めしているため、二つの側辺の間に間隙が形成されることがなく、奥側の構成が見えることがない。
【００１４】
本発明に係るテーブルにおいて、枠部材を天板の外縁側から中央部側へとスライドさせたときに枠部材の少なくとも一部に当接して所定の位置で枠部材のスライドを止めるように構成されている位置決め部材を採用することができる。
【００１５】
かかる構成を採用すると、枠部材を天板の外縁側から中央部側へとスライドさせたときに枠部材の少なくとも一部に位置決め部材を当接させ、所定の位置で枠部材のスライドを止めて位置決めすることができる。
【００１６】
本発明に係るテーブルにおいて、枠部材は、長辺及び側辺を有する平面視略台形状の第一板部と、第一板部に対して鋭角をなすように第一板部の長辺に連接された第二板部と、第二板部と略同一平面上に配置されるように第一板部の長辺に対向する辺に連結された第三板部と、を有することができる。かかる場合において、第二板部の第一板部と反対側の端部を、位置決め部材に当接させる部分とすることができる。また、第三板部には、締結用のネジ又はボルトを挿通させるための挿通孔を設けることができる。
【００１７】
かかる構成を採用すると、枠部材の第二板部と第三板部とを天板の裏面に同時に接触させることができる。また、その接触させた状態で枠部材を天板の外縁側から中央部側へとスライドさせたときに、枠部材の第二板部の端部（第一板部と反対側の端部）に位置決め部材を当接させ、所定の位置で枠部材のスライドを止めて枠部材を位置決めすることができる。さらに、その位置決めした状態で、枠部の第三板部の挿通孔に締結用のネジ又はボルトを挿通させて枠部材を天板に締結することができる。
【００１８】
本発明に係るテーブルにおいて、枠部材は、第三板部を第一板部の長辺に対向する辺に連結させる連結部を有することができる。かかる場合において、連結部は、第二板部と第三板部とを天板の裏面に接触させた状態で枠部材を天板に取り付けたときに、所定の対象物を上方から引っ掛けて吊るすための掛止部を有することができる。
【００１９】
かかる構成を採用すると、枠部材の第二板部と第三板部とを天板の裏面に接触させた状態で枠部材を天板に取り付けたときに、枠部材の連結部の掛止部に所定の対象物を上方から引っ掛けて吊るすことができる。
【発明の効果】
【００２０】
本発明によれば、テーブルの天板の裏面に設けられるフレームを目立たなくしてテーブルの美観を向上させるとともに、フレームがテーブル使用者の邪魔にならないようにすることが可能となる。
【図面の簡単な説明】
【００２１】
【図１】本発明の実施形態に係るテーブルの平面図である。
【図２】本発明の実施形態に係るテーブルの正面図である。
【図３】本発明の実施形態に係るテーブルの側面図である。
【図４】本発明の実施形態に係るテーブルの底面図である。
【図５】本発明の実施形態に係るテーブルの脚部の部分平面図である。
【図６】本発明の実施形態に係るテーブルの脚部の部分正面図である。
【図７】本発明の実施形態に係るテーブルの脚部の側面図である。
【図８】本発明の実施形態に係るテーブルの脚部の脚部材取付部を構成する下方部材の平面図である。
【図９】図８に示す下方部材の正面図である。
【図１０】図８に示す下方部材の側面図である。
【図１１】本発明の実施形態に係るテーブルの脚部の脚部材取付部を構成する上方部材の平面図である。
【図１２】図１１に示す上方部材の正面図である。
【図１３】図１１に示す上方部材の側面図である。
【図１４】本発明の実施形態に係るテーブルの脚部の脚部材取付部の平面図である。
【図１５】図１４に示す脚部材取付部の正面図である。
【図１６】図１４に示す脚部材取付部の側面図である。
【図１７】本発明の実施形態に係るテーブルの枠部材の平面図である。
【図１８】図１７に示す枠部材の端面図である。
【図１９】本発明の実施形態に係るテーブルの位置決め部材の平面図である。
【図２０】図１９に示す位置決め部材の側面図である。
【図２１】図１９に示す位置決め部材の断面図である。
【図２２】本発明の実施形態に係るテーブルの枠部材が位置決め部材に当接している状態を説明するための説明図である。
【図２３】本発明の実施形態に係るテーブルの第一カバー部材の平面図である。
【図２４】図２３に示す第一カバー部材の側面図である。
【図２５】本発明の実施形態に係るテーブルの第二カバー部材の平面図である。
【図２６】図２５に示す第二カバー部材の側面図である。
【発明を実施するための形態】
【００２２】
以下、図面を参照して、本発明の実施形態について説明する。なお、以下の実施形態はあくまでも好適な適用例であって、本発明の適用範囲がこれに限定されるものではない。
【００２３】
まず、本発明の実施形態に係るテーブル１の構成について説明する。本実施形態に係るテーブル１は、図１〜図４に示すように、天板１０と、天板１０を支持する脚部２０と、天板１０と脚部２０との接続部分の外側に設けられて接続部分を側面視で隠すための枠部３０と、を備えている。
【００２４】
天板１０は、図１及び図４に示すように、平面視で略矩形状を呈する板状部材である。天板１０のサイズは、仕様によって適宜設定することができる。例えば、天板１０の長さ方向の寸法を１８００〜３２００ｍｍ程度、幅方向の寸法を９００〜１２００ｍｍ程度、厚さを１５〜２０ｍｍ程度に設定することができる。天板１０の材料としては、合成樹脂、金属、リノリウム、木材等を採用することができる。
【００２５】
天板１０の表面１１には、図１に示すように、電源供給用の差込口１２が所定の間隔で複数配置されており、これら差込口１２を介して各種端末機器に電源を供給することができるようになっている。各差込口１２には、天板１０の裏面１３側から（図示されていない）電線が電気的に接続されている。各差込口１２に接続される電線は、電気的に直列に配線されていてもよく、電気的に並列に配線されていてもよい。天板１０の裏面１３には、図４に示すように、４つの枠部材３１（後述）が天板１０の各辺に対応するように配置された状態で固定されており、全体として平面視ロ字状を呈する枠部３０が形成されている。枠部３０の内部に形成される凹部１４には、脚部２０が配置されて取り付けられる。
【００２６】
脚部２０は、図２〜図７に示すように、管状の部材を折曲して形成した左右一対の脚部材２１と、各脚部材２１の上端部に固定される左右一対の脚部材取付部２２と、各脚部材取付部２２に形成された凹部２２ｃに嵌め込まれて固定されることにより、一対の脚部材取付部２２間に架け渡される角柱部材２３と、を有している。
【００２７】
脚部材２１は、図５及び図６に示すように、床面と接触する接地部２１ａと、接地部２１ａから上方（天板１０側）に立ち上がる一対の立上部２１ｂと、を有している。一対の立上部２１ｂ同士の間隔は、接地部２１ａ側から上方（天板１０側）になるに従って漸次狭くなるようにされており、最上部付近においては相互に略平行とされている。脚部材２１の内部には、差込口１２に電気的に接続される電線を挿通させるための空洞が設けられており、脚部材２１の接地部２１ａには、空洞に挿通させた電線を外部に引き出すための孔２１ｃが設けられている。また、脚部材２１の一対の立上部２１ｂの最上部の端部には、空洞に挿通させた電線を天板１０側に引き出すための端部孔２１ｄが設けられている。
【００２８】
脚部材取付部２２は、下方（脚部材２１側）に配置される下方部材２２ａと、上方（天板１０側）に配置される上方部材２２ｂと、を有している。下方部材２２ａは、図８に示すように平面視略矩形状を呈する板状の部材であり、その各辺には、図９及び図１０に示すように立上片２２ａａが連接されている。また、下方部材２２ａには、脚部材２１の立上部２１ｂの最上部付近の部分を挿通させる挿通孔２２ａｂが設けられている。上方部材２２ｂは、図１１に示すように平面視略矩形状を呈する板状の部材であり、その対向する一対の辺には、図１２及び図１３に示すように立下片２２ｂａが連接されている。また、上方部材２２ｂには、脚部材２１の立上部２１ｂの最上部付近の部分を挿通させる挿通孔２２ｂｂが設けられている。
【００２９】
下方部材２２ａの上方に上方部材２２ｂを配置して両者を組み合わせることにより、図１４〜図１６に示すような脚部材取付部２２が構成される。このように構成された脚部材取付部２２には、下方部材２２ａの立上片２２ａａと、上方部材２２ｂの立下片２２ｂａと、の間に凹部２２ｃが一対形成されることとなる。これら一対の凹部２２ｃには、図４〜図７に示すように、角柱部材２３が嵌め込まれて固定される。また、脚部材取付部２２には、上下に対となる挿通孔（下方部材２２ａの挿通孔２２ａｂ及び上方部材２２ｂの挿通孔２２ｂｂ）が設けられることとなり、これら上下双方の挿通孔に脚部材２１の立上部２１ｂの最上部付近の部分を挿通した上で、上下双方の挿通孔付近で脚部材２１の立上部２１ｂを溶接することにより、脚部材取付部２２に対して脚部材２１を強固に固定することができる。
【００３０】
枠部３０は、図１７及び図１８に示すような枠部材３１と、天板１０の裏面１３から突出するように設けられて枠部材３１の位置決めを行うための図１９〜図２１に示すような位置決め部材３２と、を有している。
【００３１】
枠部材３１は、図４に示すように、天板１０の各辺に対応するように複数（本実施形態では４つ）設けられている。本実施形態における枠部材３１は、図１７に示すように、平面視で、長辺３１Ｌと、短辺３１Ｓと、長辺３１Ｌと短辺３１Ｓとを繋ぐ側辺３１Ｍと、を有する略台形状を呈しており、長辺３１Ｌと側辺３１Ｍとのなす角度は平面視で略４５°とされている。枠部材３１は、金属、合成樹脂等の材料で構成することができる。
【００３２】
枠部材３１は、図１７及び図１８に示すように、長辺３１Ｌ及び側辺３１Ｍを有する平面視略台形状の第一板部３１ａと、第一板部３１ａに対して鋭角をなすように第一板部３１ａの長辺３１Ｌに連接された第二板部３１ｂと、第二板部３１ｂと略同一平面上に配置されるように第一板部３１ａの長辺３１Ｌに対向する辺３１Ｏに連結された第三板部３１ｃと、を有している。第二板部３１ｂの第一板部３１ａと反対側の端部３１ｄは、位置決め部材３２に当接させる部分とされる。また、第三板部３１ｃには、締結用のネジ又はボルトを挿通させるための挿通孔３１ｅが設けられている、
【００３３】
枠部材３１は、図１８に示すように、第三板部３１ｃを第一板部３１ａの長辺３１Ｌに対向する辺３１Ｏに連結させる連結部３１ｆを有している。連結部３１ｆは、第二板部３１ｂと第三板部３１ｃとを天板１０の裏面１３に接触させた状態で枠部材３１を天板１０に取り付けたときに、所定の対象物を上方から引っ掛けて吊るすための掛止部３１ｇを有している。また、このように第二板部３１ｂと第三板部３１ｃとを天板１０の裏面１３に接触させた状態で枠部材３１を天板１０に取り付けると、第一板部３１ａの表面３１ｈは、天板１０側から脚部２０側になるに従って天板１０の外縁側から中央部側へと傾斜する傾斜面となる。
【００３４】
位置決め部材３２は、各枠部材３１の長辺３１Ｌ及び短辺３１Ｓが天板１０の対応する辺に対して略平行になるように、かつ、隣接する二つの枠部材３１の側辺３１Ｍ同士を接触させるように、各枠部材３１を位置決めするものである。位置決め部材３２は、図４に示すように、天板１０の裏面１３の各辺に沿って所定の間隔をおいて複数配置されており、枠部材３１を天板１０の外縁側から中央部側へとスライドさせたときに、図２２に示すように、枠部材３１の第二板部３１ｂの端部３１ｄに当接して所定の位置で枠部材３１のスライドを止めることができるようになっている。
【００３５】
本実施形態においては、図１９〜図２１に示すように、天板１０の裏面に固定される平面視円形状の略円板状（乃至略円筒状）の部材を位置決め部材３２として採用している。位置決め部材３２には、ボルト等の締結具を挿通させる挿通孔３２ａが設けられており、この挿通孔３２ａに締結具を挿通させて位置決め部材３２を天板１０の裏面に固定することができる。位置決め部材３２は、合成樹脂（例えば、ポリアセタール樹脂等）や金属等の材料で構成することができる。位置決め部材３２の形状は、略円板（円筒）状に限られるものではなく、例えば平面視多角形状や平面視楕円形状の板状（柱状）の部材を位置決め部材として採用することもできる。
【００３６】
平面視ロ字状を呈する枠部３０の内部に形成される凹部１４には、図４に示すように脚部２０が配置され、脚部２０の脚部材取付部２２及び角柱部材２３がボルト等の締結具を介して天板１０の裏面に固定される。本実施形態においては、このような天板１０と脚部２０との接続部分を下方から遮蔽するために、カバー部材（第一カバー部材４１及び第二カバー部材４２）を採用している。
【００３７】
第一カバー部材４１は、図２３及び図２４に平面視略矩形状を呈する板状の部材であり、図４に示すように天板１０の裏面側に設けられた凹部１４の中央部を遮蔽するように機能する。第一カバー部材４１の対向する一対の辺には、枠部材３１の連結部３１ｆに設けられた掛止部３１ｇ（図１８）に引っ掛けられる鉤状部４１ａが設けられている。また、第一カバー部材４１の一辺には、脚部材２１の形状に対応する凹部４１ｂが二箇所形成されている。第一カバー部材４１の鉤状部４１ａを枠部材３１の掛止部３１ｇに引っ掛けることにより、第一カバー部材４１を枠部材３１に吊るした状態で取り付けることができる。
【００３８】
第二カバー部材４２は、図２５及び図２６に平面視略矩形状を呈する板状の部材であり、図４に示すように天板１０の裏面側に設けられた凹部１４の端部を遮蔽するように機能する。第二カバー部材４２の三辺には、枠部材３１の連結部３１ｆに設けられた掛止部３１ｇ（図１８）に引っ掛けられる鉤状部４２ａが設けられている。また、第二カバー部材４２の残り一辺には、脚部材２１の形状に対応する凹部４２ｂが二箇所形成されている。第二カバー部材４２の鉤状部４２ａを枠部材３１の掛止部３１ｇに引っ掛けることにより、第一カバー部材４２を枠部材３１に吊るした状態で取り付けることができる。
【００３９】
以上説明した実施形態に係るテーブル１においては、天板１０と脚部２０との接続部分の外側に設けられた枠部３０が、天板１０側（上方）から脚部２０側（下方）になるに従って天板１０の外縁側（外側）から中央部側（内側）へと傾斜する傾斜面３１ｈを有しているため、枠部３０の傾斜面３１ｈが脚部２０側（下方）になるほど天板１０の中央部側（内側）の奥まった位置にあり、枠部３０が目立たなくなる。また、枠部３０の脚部２０側（下方）の部分が天板１０の中央部側（内側）の奥まった位置にあるため、枠部３０がテーブル使用者の邪魔になることがない。さらに、枠部３０によって、天板１０と脚部２０との接続部分（例えば溶接した箇所やボルトで締結した箇所）を側面視で隠すことができる。この結果、あたかも天板１０に脚部２０が直接的に接続されているかのような視覚的効果を得ることができるとともに、天板１０と脚部２０との接続部分を側面視で隠すことができ、全体としてテーブル１の意匠性を向上させることができる。
【００４０】
また、以上説明した実施形態に係るテーブル１においては、天板１０の裏面から突出するように設けられた位置決め部材３２により枠部材３１を位置決めすることができるので、作業性を向上させることができる。特に、本実施形態では各枠部材３１の長辺３１Ｌと側辺３１Ｍとのなす角度を略４５°に設定しているため、位置決め部材３２を採用しない場合には、二つの枠部材３１を隣接させた際の側辺３１Ｍ同士の正確な位置決めが困難であるが、位置決め部材３２を採用することにより、隣接する側辺３１Ｍ同士を容易にかつ正確に位置決めすることができる。
【００４１】
また、以上説明した実施形態に係るテーブル１においては、各枠部材３１の長辺３１Ｌ及び短辺３１Ｓが天板１０の対応する辺に対して略平行になるように、かつ、隣接する二つの枠部材３１の側辺３１Ｍ同士を接触させるように、各枠部材３１を位置決めすることができる。このようにすることにより、隣接する二つの枠部材３１が平面視で略直角をなすように配置されることとなり、平面視でロ字状の枠部３０が形成されることとなる。なお、仮に、隣接する二つの枠部材３１の側辺３１Ｍ同士を接触させることなく単に位置決め部材３２で位置決めするだけでは、二つの側辺３１Ｍの間に形成される間隙から奥側の構成が見えてしまうこととなるが、本実施形態では、各枠部材３１の長辺３１Ｌと側辺３１Ｍとのなす角度を略４５°に設定し、隣接する二つの枠部材３１の側辺３１Ｍ同士を接触させるように各枠部材３１を位置決めしているため、二つの側辺３１Ｍの間に間隙が形成されることがなく、奥側の構成が見えることがない。
【００４２】
また、以上説明した実施形態に係るテーブル１においては、枠部材３１の第二板部３１ｂと第三板部３１ｃとを天板１０の裏面１３に同時に接触させることができる。また、その接触させた状態で枠部材３１を天板１０の外縁側から中央部側へとスライドさせたときに、枠部材３１の第二板部３１ｂの端部３１ｄに位置決め部材３２を当接させ、所定の位置で枠部材３１のスライドを止めて枠部材３１を位置決めすることができる。さらに、その位置決めした状態で、枠部３１の第三板部３１ｃの挿通孔３１ｅに締結用のネジ又はボルトを挿通させて枠部材３１を天板１０に締結することができる。
【００４３】
また、以上説明した実施形態に係るテーブル１においては、枠部材３１の第二板部３１ｂと第三板部３１ｃとを天板１０の裏面１３に接触させた状態で枠部材３１を天板１０に取り付けたときに、枠部材３１の連結部３１ｆの掛止部３１ｇに第一カバー部材４１及び第二カバー部材４２を上方から引っ掛けて吊るすことができる。
【００４４】
なお、以上の実施形態においては、平面視略矩形状を呈する天板１０を採用した例を示したが、天板１０の平面形状はこれに限られるものではない。例えば、平面視で略多角形状（略三角形状、五角形状、六角形状等）を呈する天板を採用することもできる。かかる場合においても、天板の各辺に対応するように枠部材を複数設けておき、位置決め部材によって各枠部材が天板の各辺に対して略平行になるように各枠部材を位置決めすることができる。
【００４５】
本発明は、以上の実施形態に限定されるものではなく、この実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００４６】
１…テーブル
１０…天板
１３…裏面
２０…脚部
３０…枠部
３１…枠部材
３１ａ…第一板部
３１ｂ…第二板部
３１ｃ…第三板部
３１ｄ…第二板部の（第一板部と反対側の）端部
３１ｅ…挿通孔
３１ｆ…連結部
３１ｇ…掛止部
３１ｈ…傾斜面
３１Ｌ…長辺
３１Ｍ…側辺
３１Ｓ…短辺
３２…位置決め部材
【図１】
2018134198.tif 000003
【図２】
2018134198.tif 000004
【図３】
2018134198.tif 000005
【図４】
2018134198.tif 000006
【図５】
2018134198.tif 000007
【図６】
2018134198.tif 000008
【図７】
2018134198.tif 000009
【図８】
2018134198.tif 000010
【図９】
2018134198.tif 000011
【図１０】
2018134198.tif 000012
【図１１】
2018134198.tif 000013
【図１２】
2018134198.tif 000014
【図１３】
2018134198.tif 000015
【図１４】
2018134198.tif 000016
【図１５】
2018134198.tif 000017
【図１６】
2018134198.tif 000018
【図１７】
2018134198.tif 000019
【図１８】
2018134198.tif 000020
【図１９】
2018134198.tif 000021
【図２０】
2018134198.tif 000022
【図２１】
2018134198.tif 000023
【図２２】
2018134198.tif 000024
【図２３】
2018134198.tif 000025
【図２４】
2018134198.tif 000026
【図２５】
2018134198.tif 000027
【図２６】
2018134198.tif 000028